(57)【要約】【課題】読取窓の透明部材を傾斜配置し、読取性能の低下を防止し透明部材の清掃などのメンテナンス性を改善する紙葉類読取装置を提供する。【解決手段】紙葉類読取装置１０は、紙葉類読取装置１０の外部に設定した読取面５を、読取窓６ａを透して照明する照明装置４ａ・４ｂ、及びこの読取面５からの反射光を読み取るカメラ７などから構成される。読取窓６ａは、読取面５を照明するために必要な開口部を有しており、この開口部に、搬送方向上流は深く搬送方向下流に向かって浅くなるように傾斜角θを有し、耐磨耗性でかつ高透過率の透明部材６ｂが配置される。この傾斜角θは、紙葉類Ｐの大きさ・剛性及び副走査の幅Ｗによって設定される。紙葉類Ｐが図示矢印Ａ方向に搬送されると、当該剛性の弱い紙葉類Ｐの後端部分が垂れ下がり透明部材６ｂを軽くなでながら自掃する。【選択図】  図１
2012095317.tif 000002
【特許請求の範囲】
【請求項１】
搬送路によって搬送される紙葉類が読取面を通過する際に当該読取面を照明し、その反射光を読み取る紙葉類読取装置であって、
前記搬送路は、
前記読取装置の搬送上流及び下流位置で、かつ、最小長さの紙葉類を挟持できる位置に配置した搬送ローラと、
この搬送ローラ間に配置された、紙葉類の一方の面をガイドする片側搬送ベルトと、
を備え、
前記紙葉類読取装置は、
前記読取面を照明する照明手段と、
この照明手段によって照明された前記読取面を通過する前記紙葉類からの反射光を読み取る読取手段と、
前記照明手段からの照明光又は前記反射光を透過させるための開口部と、
この開口部に装着される読取窓と、
前記照明手段、前記読取手段及び前記読取窓を収納した本体と、
を備え、
前記読取窓は、
紙葉類の搬送方向と交差する方向に長軸を有する板状態で構成され、前記本体に装着される長軸側の側面に構成されたテーパー形状端面と、
前記紙葉類の搬送方向に対して、上流を深くし下流になるに従って浅くなるように傾斜配置した前記透明部材と、
を備え、
前記本体は、
前記読取窓の長軸側の側面に構成されたテーパー形状端面が装着される溝を備え、
前記読取窓のテーパー形状端面が当該本体の溝に沿って摺動して組み込まれた際の接触面積を大きくすることにより前記読取窓と当該本体の密着度及び強度が増し、よって、当該読取窓交換時の再現性を確保すると共に当該読取窓の厚さを薄くし、
前記傾斜配置した透明部材の傾斜角は、
前記紙葉類の大きさ、剛性及び前記透明部材の搬送方向の長さによって３°〜７°以下に設定され、前記紙葉類の先端または後端が前記紙葉類の自重による垂れ下りにより前記透明部材の塵を取り除く紙葉類読取装置。
【請求項２】
前記本体はさらに、
前記読取窓の着脱を検知する磁気センサを備え、
前記読取窓は、
前記磁気センサで検知する磁性体を備え、
前記磁性体が前記磁気センサによって検知され、当該読取窓の抜き忘れを防止することができる請求項１記載の紙葉類読取装置。
【発明の詳細な説明】
【技術分野】
【０００１】
本発明は、郵便物などの紙葉類を処理する紙葉類処理装置に搭載される紙葉類読取装置に関する。
【背景技術】
【０００２】
郵便物などの紙葉類を区分処理する紙葉類処理装置は、紙葉類表面に記載されている情報を読み取る紙葉類読取装置が搭載されており、この紙葉類読取装置で読取った結果を認識し、その認識結果に応じて紙葉類を区分する装置である。
【０００３】
以下、従来の紙葉類読取装置を説明する。
【０００４】
図５は、従来の紙葉類読取装置を紙葉類処理装置に配置した一例である。ここでは、紙葉類Ｐ（被検出媒体）を搬送する搬送路１１１及びこの搬送路１１１によって搬送される紙葉類Ｐが図示矢印Ａ方向に搬送され、読取面１０５を通過するとき、照明装置１０４ａ・１０４ｂによって照明された紙葉類Ｐからの反射光を読み取る従来の紙葉類読取装置１１０の概略構成図である。図6は、図５に示す紙葉類読取装置１１０を構成する読取窓１０６の詳細図である。図６（１）は、従来の読取窓１０６を示す図であり、図６（２）は、図６（１）を改良した読取窓１２６を示す図である。
【０００５】
搬送路１１１は、紙葉類読取装置１１０による読取面１０５を可能な範囲で大きくするために、紙葉類読取装置１１０の読取窓１０６が配置される部分には搬送ベルト１０１が掛からないように、紙葉類読取装置１１０が配置されている位置に対して上流側の搬送路と下流側の搬送路で構成される。この搬送路１１１によって紙葉類Ｐは紙葉類読取装置１１０の上流から下流に向かって図示矢印Ａ方向に搬送される。
【０００６】
紙葉類読取装置１１０は、照明装置１０４ａ・１０４ｂ、読取窓１０６、カメラ１０７などで構成される。このように構成された紙葉類読取装置１１０において、上記搬送路１１１によって搬送された紙葉類Ｐは、照明装置１０４ａ・１０４ｂによって開口部１０６ａに設けられた石英ガラスなどの透明部材１０６ｂを通して照射され、その反射光は、透明部材１０６ｂを通してカメラ１０７によって読取られる。
【０００７】
紙葉類読取装置１１０では、安定した読取性能を確保するためには、カメラ１０７と紙葉類Ｐとの距離を一定にし、紙葉類Ｐの読取面１０５での搬送のぶれを少なくする必要がある。そのため、カメラ１０７の読取面１０５を透明部材１０６ｂに近接した位置に設定し、上面搬送ベルト１０１で当該紙葉類Ｐを透明部材１０６ｂに押し付けることにより、紙葉類Ｐの読取面１０５での読取位置がぶれないようにしている。
【０００８】
従来，紙葉類読取装置１１０の読取センサ１０７ａには、ラインセンサが用いられることが一般的である。このラインセンサは、ライン状に並んでいるので、ラインセンサの1ラインに相当する読取面１０５の視野が確保されていればよく、読取窓の搬送方向幅Ｗ１は狭くてもよかった(図７)。
【０００９】
ところが、最近では、紙葉類処理装置の処理速度が高速化してきており、この高速化に対応させるため、副走査方向（搬送方向）に画像を蓄積できる機能を有するエリアセンサ７ａ（図１参照）が用いられるようになった。この種のエリアセンサ７ａを使用した場合には、副走査方向に視野を確保するために、副走査方向の幅Ｗ２を、ラインセンサ１０７ａ（図５参照）を用いたときの搬送方向幅Ｗ１に比べて広くする必要がある(図８)。
【００１０】
この広くなった副走査方向の幅Ｗ２おいて、安定した読取を確保するために、上述したように被検出媒体（紙葉類）を透明部材１０６ｂに押し付ける方法が用いられており、その透明部材１０６ｂに関して以下の課題があった。
【００１１】
（１）紙葉類Ｐが透明部材１０６ｂに接触して搬送されるため、耐摩耗性透明部材を用いる必要がある。
【００１２】
（２）紙葉類Ｐが透明部材１０６ｂに接触して搬送されるため、例えば、使用環境湿度が高い場合などには、紙葉類Ｐに付着している糊、インキなどの付着物による汚れが付着しやすい（図９）。
【００１３】
（３）紙葉類Ｐが透明部材１０６ｂに接触して搬送されるため、経年的な接触磨耗による透明部材の不透明化が発生しやすい。
【００１４】
この結果、透明部材１０６ｂの清掃間隔が短いという課題、又は透明部材１０６ｂの交換間隔が短いという課題があった。
【００１５】
これらの課題を解決するために、従来は、図７に示すように読取窓１１６の読取面１１５に対して透明部材１１６ｂの位置をカメラ側に近づけて配置し、当該透明部材１１６ａに紙葉類Ｐが接触しないようにする方法が用いられてきた。
【００１６】
この方法は、図に示すように読取センサがラインセンサの場合には、読取窓１１６の外壁に対して部分的に窪みＤを設けて透明部材１１６ｂを組み込むことにより紙葉類Ｐと透明部材１１６ｂを非接触にする方法である。しかしながら、この方法であっても、当該窪みに紙葉類Ｐが搬送されるときに発生した塵が堆積しやすいという課題があった。また、図８に示す副走査方向の幅Ｗ２が広いエリアセンサの場合には、紙葉類Ｐを透明部材１２６ｂに強く押圧すると上述した課題（１）〜（３）は改善の効果が少なく、弱く押圧力すると紙葉類Ｐの読取面１２５でのぶれが大きく安定しないという課題があった。
【００１７】
この種の課題を解決するために、原稿表面を湾曲状にして搬送し、当該原稿読取りガラスを斜めに配置し、当該読取りガラスと原稿を非接触にして読み取る方法が知られている（例えば、特許文献１参照。）。
【先行技術文献】
【特許文献】
【００１８】
【特許文献１】特開平１１−１４６１４０号公報  （第２頁、図１）
【発明の概要】
【発明が解決しようとする課題】
【００１９】
しかしながら、特許文献１記載のシート原稿読取装置では、搬送出口ガイド部を読取りピント面より高く傾斜させることを特徴としており、上記シート原稿を湾曲して搬送することを特徴とする。この場合には、示された構成要素の全てが無いと窓ガラスに原稿が接触せずに、読取りピント位置を安定して通過させることは不可能で、また、狭い間隙を作ることで原稿が移動するときにできる気流によって埃の排出も可能にしている。
【００２０】
従って、上部ガイドがあることにより、厚みがさまざまな例えば郵便物のような媒体には使用できない。また、上部ガイドによって形成される狭い間隙は、継続使用により排出できなくなった埃が詰まる問題も予想される。
【００２１】
また、上述した従来技術には、以下に示す課題がある。すなわち、紙葉類読取装置１１０のカメラ１０７と紙葉類Ｐの読取面１０５までの距離にばらつきが発生するとカメラ１０７の読取性能が安定しないため、当該紙葉類Ｐを読取窓１０６に押し付け、紙葉類Ｐの読取位置を安定にする搬送方法が用いられていた。その結果、以下の課題があった。
【００２２】
（１）紙葉類Ｐが透明部材１０６ｂに接触して搬送されるため、耐摩耗性透明部材を用いる必要がある。
【００２３】
（２）紙葉類Ｐが透明部材１０６ｂに接触して搬送されるため、紙葉類Ｐに付着している糊、インキなどの付着物による汚れが発生しやすいという課題がある。例えば、湿度が高い環境で当該紙葉類Ｐの処理を行うと、当該紙葉類Ｐに使用されている糊などが付着しやすく、３万通程度の処理において、図９に示す汚れ１０６ｃが発生する場合があることが確認されている。
【００２４】
（３）紙葉類Ｐが透明部材１０６ｂに接触して搬送されるため、経年的な接触磨耗による透明部材１０６ｂの不透明化が発生するという課題がある。
【００２５】
この結果、透明部材１０６ｂの清掃間隔が短いという課題、又は透明部材１０６ｂの交換間隔が短いという課題があった。
【００２６】
本発明は、上記課題を解決するためになされたもので、透明部材を読取位置からカメラ側に近づけ、かつ、その透明部材を傾斜配置とすることにより透明部材と紙葉類Ｐを非接触にし、読取面での当該紙葉類のぶれを少なくし、かつ、当該紙葉類Ｐ自身による透明部材を自動清掃（自掃）させることができるので、読取性能の低下を防止し、透明部材の清掃などのメンテナンス性を改善した紙葉類読取装置を提供することができる。
【課題を解決するための手段】
【００２７】
上記目的を達成するために、本発明の請求項１記載の紙葉類処理装置は、搬送路によって搬送される紙葉類が読取面を通過する際に当該読取面を照明し、その反射光を読み取る紙葉類読取装置であって、前記搬送路は、前記読取装置の搬送上流及び下流位置で、かつ、最小長さの紙葉類を挟持できる位置に配置した搬送ローラと、この搬送ローラ間に配置された、紙葉類の一方の面をガイドする片側搬送ベルトと、を備え、前記紙葉類読取装置は、前記読取面を照明する照明手段と、この照明手段によって照明された前記読取面を通過する前記紙葉類からの反射光を読み取る読取手段と、前記照明手段からの照明光又は前記反射光を透過させるための開口部と、この開口部に装着される読取窓と、前記照明手段、前記読取手段及び前記読取窓を収納した本体と、を備え、前記読取窓は、紙葉類の搬送方向と交差する方向に長軸を有する板状態で構成され、前記本体に装着される長軸側の側面に構成されたテーパー形状端面と、前記紙葉類の搬送方向に対して、上流を深くし下流になるに従って浅くなるように傾斜配置した前記透明部材と、を備え、前記本体は、前記読取窓の長軸側の側面に構成されたテーパー形状端面が装着される溝を備え、前記読取窓のテーパー形状端面が当該本体の溝に沿って摺動して組み込まれた際の接触面積を大きくすることにより前記読取窓と当該本体の密着度及び強度が増し、よって、当該読取窓交換時の再現性を確保すると共に当該読取窓の厚さを薄くし、前記傾斜配置した透明部材の傾斜角は、前記紙葉類の大きさ、剛性及び前記透明部材の搬送方向の長さによって３°〜７°以下に設定され、前記紙葉類の先端または後端が前記紙葉類の自重による垂れ下りにより前記透明部材の塵を取り除くことができる。
【図面の簡単な説明】
【００２８】
【図１】本発明の実施例１による紙葉類読取装置を配置した例。
【図２】図１に示す紙葉類読取装置を構成する読取窓での紙葉類の先端部分の状態。
【図３】図１に示す紙葉類読取装置を構成する読取窓での紙葉類の後端部分の状態。
【図４】図１に示す読取窓を示す図。
【図５】従来の紙葉類読取装置の一例。
【図６】図５に示す紙葉類読取装置を構成する従来の読取窓及び従来の読取窓を改改良した例。
【図７】ラインセンサの読取窓の一例。
【図８】センサの副走査方向の幅が広い場合の一例。
【図９】従来の紙葉類読取装置の汚損を示す一例。
【発明を実施するための形態】
【００２９】
以下、図面を参照して本発明の実施例を説明する。
【実施例１】
【００３０】
図１は、本発明の実施例１による紙葉類読取装置１０を配置した一例で、紙葉類処理装置の搬送路に沿って配置した状態を示す。
【００３１】
被検出媒体である紙葉類Ｐは、搬送路１１上を図示矢印Ａ方向に所定の間隔で搬送される。図示した例は、紙葉類Ｐ１が先に搬送され、続けて紙葉類Ｐ２が搬送された状態を示す。
【００３２】
搬送路１１は、紙葉類読取装置１０の上流に配置された上流搬送路と下流に配置された下流搬送路で構成される。
【００３３】
上流搬送路は、紙葉類の上面から挟持する上面搬送ベルト１と、この上面搬送ベルト１の対向する下面に配置された下面搬送ベルト２ａ及びこの下面搬送ベルト２ａが掛け回された搬送ローラ３ａから構成される。
【００３４】
下流搬送路は、紙葉類の上面から挟持する上面搬送ベルト１と、この上面搬送ベルト１の対向する下面に配置された下面搬送ベルト２ｂ及びこの下面搬送ベルト２ｂが掛け回された搬送ローラ３ｂから構成される。すなわち、紙葉類が読取面５を通過する位置では、上面搬送ベルト１が紙葉類の上面（一方の面）をガイドする片側搬送ベルトとなっている。このように構成された搬送路１１によって紙葉類Ｐ１、Ｐ２は、紙葉類読取装置１０の上流から下流に向かって図示矢印Ａ方向に搬送される。
【００３５】
紙葉類読取装置（本体）１０は、紙葉類読取装置１０の外部に設定した読取面５を、透明部材６ｂを透して照明する照明装置（照明手段）４ａ・４ｂ、及びこの読取面５からの反射光を読み取るカメラ（読取手段）７などから構成される。
【００３６】
読取窓６は、読取面５を照明するために必要な開口部６ａを有しており、この開口部６ａに透明部材６ｂが配置される。
【００３７】
透明部材６ｂは、紙葉類読取装置１０の読取窓６に傾斜して配置され（傾斜配置）、照明装置４ａ、４ｂから照射された光を透過することによって、読取面５を照明すると共に、紙葉類Ｐが当該読取面５を通過するとき紙葉類Ｐの反射光を透過させる必要があり、透明部材が配置されて閉じられた窓を形成する。
【００３８】
また、この透明部材６ｂは、紙葉類読取装置１０と外部を遮断し、外部から塵などが進入するのを防止する機能を有する。
【００３９】
さらに、この読取窓６の近傍を紙葉類Ｐが高速に搬送されることから、紙葉類Ｐが読取窓６に接触した際、傷の付きにくい耐摩耗性の材質が用いられる。
【００４０】
従って、透明部材６ｂには、上記要件を満たすために、紙葉類Ｐを読み取るために使用される光の波長領域において光損失が少ない高透過率の材質であると共に、耐磨耗性材質が用いられる。本実施例では、高透過率の材質として石英ガラスを使用している。
【００４１】
透明部材６ｂは、搬送面に対して所定の傾斜角になるように、透明部材６ｂを読取窓６に組み込む際に所定の傾斜角θを有して配置される。本実施例では、この傾斜角θを７°に設定してある。この傾斜角θは、処理される紙葉類Ｐの大きさ・剛性及び透明部材６ｂの搬送方向（副走査方向）の長さＷ２によって設定される。例えば、湿度の高い使用環境で、紙葉類Ｐが使用される場合又は紙葉類Ｐの剛性が弱い場合には読取面５では紙葉類Ｐの下面を支えていないため紙葉類Ｐの折り癖により紙葉類Ｐは、下面側に垂れ下がりやすく上記傾斜角θを７°以下にすることができる。なお、搬送ローラ３ａと３ｂの間の間隔は、紙葉類読取装置１０が取り扱う紙葉類Ｐの最小長さを挟持できる距離によって設定される。以上の条件を検証した上で上述した傾斜角θが３°〜７°の範囲で設定される。
【００４２】
このように構成された読取窓６において、紙葉類Ｐが搬送された場合の動作を図２及び図３を用いて説明する。
【００４３】
図２は、図１に示す紙葉類読取装置１０を構成する読取窓６での紙葉類Ｐの先端部分の状態を示す。図３は、図１に示す紙葉類読取装置１０を構成する読取窓６での紙葉類Ｐの後端部分の状態を示す。紙葉類Ｐが図示矢印Ａ方向に搬送されると、当該紙葉類Ｐの搬送方向先端部分は、紙葉類Ｐをその下部から支えるものがないが、紙葉類Ｐ自体の剛性によって通常は真っ直ぐ進むが、剛性の弱い紙葉類Ｐは、図示したように少し垂れ下がる場合がある。
【００４４】
さらに、紙葉類Ｐが前進すると、その先端部分が上面搬送ベルト１及び下面搬送ベルト２ｂによって挟持されて搬送されるが、その際、剛性の弱い紙葉類Ｐの後端部分は垂れ下がり、図３に示すように透明部材６ｂの上をすりながら前進する。
【００４５】
上述した図５に示す紙葉類Ｐが、透明部材１０６ｂに押圧されながら前進するのと異なり、本発明の紙葉類Ｐは、紙葉類の自重の範囲で垂れ下がり、透明部材の上を軽くなでるように前進する。
【００４６】
通常、紙葉類Ｐが大量に搬送されると、当該紙葉類Ｐから発生した塵が搬送路周辺に堆積する。本発明の紙葉類読取装置１０も例外ではなく、搬送路１１の周辺に堆積することになり、この塵が透明部材６ｂの上に蓄積すると、当該紙葉類読取装置１０の読取性能が影響を受けることになる。しかしながら、本実施例の透明部材６ｂは、紙葉類Ｐの搬送面に対して傾斜配置されるため、紙葉類Ｐの搬送によって直接押圧されることはない。また、ある間隔を開けて上記剛性の弱い紙葉類Ｐが搬送されることによって、当該透明部材６ｂが自掃（自動清掃）される効果がある。
【００４７】
図４（１）は、読取窓６の平面図である、本実施例による読取窓６を用いて１０万枚の紙葉類Ｐを通過したとき（１０万通使用後）の状態である。この程度の処理数では、透明部材６ｂの汚れによる紙葉類読取装置１０の読取性能に対する影響はない。実験の結果では、１５万通の紙葉類Ｐを通過した場合に汚れが確認できた。
【００４８】
図４（２）は、図４（１）に示す読取窓６の右側面図で、読取窓６に抜き忘れ防止用磁気センサ１１を付与した一例である。図４（３）は、図４（１）に示す読取窓６の下側側面図である。この読取窓６は、図２、図３又は図４に示すように、紙葉類の搬送方向Ａと交差する方向に長軸を有する板状態で構成され、紙葉類読取装置（本体）１０に装着される長軸側の側面が底面に対して上面が狭くなるテーパー形状端面になるように構成される。従って本体１０側には、読取窓６の長軸側の側面に構成されたテーパー形状端面が装着される溝が設けられており、読取窓６のテーパー形状端面が当該紙葉類読取装置１０の溝に沿って摺動して組み込まれる。
【００４９】
このようなテーパー形状にするのは以下の理由による。読取窓６を紙葉類読取装置１０に装着した際の接触面積が、テーパー形状にすることにより大きくすることができる。この接触面積が大きくなることにより、読取窓６と紙葉類読取装置１０の密着度及び強度が増し、当該読取窓６の交換時の再現性を確保すると共に読取窓６の厚さを薄くできる効果がある。読取窓６の厚さを薄くすることにより、保守時に交換の必要な読取窓の重量を軽くできるだけでなく安価にできる利益がある。
【００５０】
以上説明したように、読取窓６は、紙葉類読取装置１０の溝６ｃに摺動して組み込み又は取り外し可能（着脱可能）に構成されている。
【００５１】
抜き忘れ防止用磁気センサ１１は、この読取窓６側に磁性体６ｄを貼り付け、紙葉類読取装置１０側に磁気センサ１１を取り付ける。この磁気センサを用いる理由は、紙葉類読取装置１０の周辺には、紙葉類処理装置が大量の紙葉類Ｐを処理したときの塵が大量に発生する。この塵が発生した場合であっても、読取窓６の抜き忘れを確実に検知する方法として光学式検知方式に比べて有効であることによる。
【００５２】
読取窓６は、上述したように大量に紙葉類Ｐの処理を行うことによって本実施例を適用した場合であっても、定期的な清掃が必要になる。通常、操作員は、１日の就業後などに読取窓６を読取装置１０から取り出して清掃し、再度セットして運用している。しかしながら、読取窓６を読取装置１０から抜いた際に入れ忘れ、そのまま装置を稼働してしまう場合が考えられる。この場合、紙葉類処理装置の稼働によって、紙葉類読取装置１０内部に塵が混入し、読取性能が低下してしまう場合がある。
【００５３】
このようにすることによって、紙葉類読取装置１０に読取窓６が取り付いていない場合には、当該センサ１１によって検知され、図示しない紙葉類読取装置に表示又は警告をすることができる。
【００５４】
以上説明したように本発明の紙葉類読取装置によれば、透明部材を読取位置からカメラ側に近づけ、かつ、その透明部材を傾斜配置とすることにより透明部材と紙葉類Ｐを非接触にすることにより課題（１）〜課題（３）が解決できる。また、その際課題である紙葉類のぶれも、透明部材を傾斜配置にすることにより少なくすることができる。さらに、この傾斜配置にすることにより、当該紙葉類Ｐ自身による透明部材を自動清掃（自掃）させることができるので、読取性能の低下を防止し、透明部材の清掃などのメンテナンス性を改善した紙葉類読取装置を提供することができる。
【００５５】
（付記）
分割直前の請求項は以下の通りである。
【００５６】
「請求項１」
搬送される紙葉類が読取面を通過する際に当該読取面を照明し、その反射光を読み取る紙葉類読取装置であって、
前記読取面を照明する照明手段と、
この照明手段によって照明された前記読取面を通過する前記紙葉類からの反射光を読み取る読取手段と、
前記照明手段からの照明光又は前記反射光を透過させるための開口部と、
この開口部に傾斜配置した透明部材を備えた読取窓と、
前記照明手段、前記読取手段及び前記読取窓を収納した本体と、
を備え、
前記透明部材は、
前記紙葉類の搬送方向に対して、上流を深くし下流になるに従って浅くなるように傾斜配置し、
前記傾斜配置した透明部材の傾斜角は、
前記紙葉類の大きさ、剛性及び前記透明部材の搬送方向の長さによって設定され、
前記紙葉類の先端または後端が前記紙葉類の自重による垂れ下りにより前記透明部材の塵を取り除くことを特徴とする紙葉類読取装置。
【００５７】
「請求項２」
前記本体はさらに、
前記読取窓を搬送方向と交差する方向に着脱可能な溝と、
前記読取窓の着脱を検知する磁気センサと、
を備え、
前記読取窓は、
前記磁気センサで検知する磁性体を備え、
当該読取窓を前記本体の溝に沿って摺動して組み込むことにより、前記磁性体が前記磁気センサによって検知され、当該読取窓の抜き忘れを防止することができることを特徴とする請求項１記載の紙葉類読取装置。
【００５８】
「請求項３」
搬送される紙葉類が通過する読取面を照明する照明手段及び当該紙葉類からの反射光を読み取る読取手段を有する紙葉類読取装置に着脱可能に配置する読取窓であって、
前記照明手段からの照明光又は前記反射光を透過させるための開口部と、
この開口部に傾斜配置した透明部材と、
を備え、
前記透明部材は、
前記紙葉類の搬送方向に対して、上流を深くし下流になるに従って浅くなるように傾斜配置し、
前記傾斜配置した透明部材の傾斜角は、
前記紙葉類の大きさ、剛性及び前記透明部材の搬送方向の長さによって設定され、
前記紙葉類の先端または後端が前記紙葉類の自重による垂れ下りにより前記透明部材の塵を取り除くことを特徴とする読取窓。
【符号の説明】
【００５９】
Ｐ  紙葉類
１、１０１  上面搬送ベルト
２ａ、２ｂ、１０２ａ、１０２ｂ  下面搬送ベルト
３ａ、３ｂ、１０３ａ、１０３ｂ  搬送ローラ
４ａ、４ｂ、１０４ａ、１０４ｂ  照明装置
５、１０５、１１５、１２５  読取面
６、１０６、１１６、１２６  読取窓
６ａ、１０６ａ、１１６ａ、１２６ａ  開口部
６ｂ、１０６ｂ、１１６ｂ、１２６ｂ  透明部材
６ｄ  磁性体
７、１０７  カメラ
７ａ  センサ（エリアセンサ）
１０７ａ  センサ（ラインセンサ）
１０  紙葉類読取装置  
１１  磁気センサ
【図１】
2012095317.tif 000003
【図２】
2012095317.tif 000004
【図３】
2012095317.tif 000005
【図４】
2012095317.tif 000006
【図５】
2012095317.tif 000007
【図６】
2012095317.tif 000008
【図７】
2012095317.tif 000009
【図８】
2012095317.tif 000010
【図９】
2012095317.tif 000011
【手続補正書】
【提出日】平成23年12月26日(2011.12.26)
【手続補正１】
【補正対象書類名】明細書
【補正対象項目名】００２７
【補正方法】変更
【補正の内容】
【００２７】
上記目的を達成するために、本発明の請求項１記載の紙葉類処理装置は、搬送路によっ
て搬送される紙葉類が読取面を通過する際に当該読取面を照明し、その反射光を読み取る
紙葉類読取装置であって、前記搬送路は、前記読取装置の搬送上流及び下流位置で、かつ
、最小長さの紙葉類を挟持できる位置に配置した搬送ローラと、この搬送ローラ間に配置
された、紙葉類の一方の面をガイドする片側搬送ベルトと、を備え、前記紙葉類読取装置
は、前記読取面を照明する照明手段と、この照明手段によって照明された前記読取面を通
過する前記紙葉類からの反射光を読み取る読取手段と、前記照明手段からの照明光又は前
記反射光を透過させるための開口部と、この開口部に装着される読取窓と、前記照明手段
、前記読取手段及び前記読取窓を収納した本体と、を備え、前記読取窓は、紙葉類の搬送
方向と交差する方向に長軸を有する板状態で構成され、前記本体に装着される長軸側の側
面に構成されたテーパー形状端面と、前記紙葉類の搬送方向に対して、上流を深くし下流
になるに従って浅くなるように傾斜配置した透明部材と、を備え、前記本体は、前記読取
窓の長軸側の側面に構成されたテーパー形状端面が装着される溝を備え、前記読取窓のテ
ーパー形状端面が当該本体の溝に沿って摺動して組み込まれた際の接触面積を大きくする
ことにより前記読取窓と当該本体の密着度及び強度が増し、よって、当該読取窓交換時の
再現性を確保すると共に当該読取窓の厚さを薄くし、前記傾斜配置した透明部材の傾斜角
は、前記紙葉類の大きさ、剛性及び前記透明部材の搬送方向の長さによって３°〜７°以
下に設定され、前記紙葉類の先端または後端が前記紙葉類の自重による垂れ下りにより前
記透明部材の塵を取り除くことができる。
【手続補正２】
【補正対象書類名】明細書
【補正対象項目名】００５１
【補正方法】変更
【補正の内容】
【００５１】
抜き忘れ防止用磁気センサ１２は、この読取窓６側に磁性体６ｄを貼り付け、紙葉類読
取装置１０側に磁気センサ１２を取り付ける。この磁気センサを用いる理由は、紙葉類読
取装置１０の周辺には、紙葉類処理装置が大量の紙葉類Ｐを処理したときの塵が大量に発
生する。この塵が発生した場合であっても、読取窓６の抜き忘れを確実に検知する方法と
して光学式検知方式に比べて有効であることによる。
【手続補正３】
【補正対象書類名】明細書
【補正対象項目名】００５３
【補正方法】変更
【補正の内容】
【００５３】
このようにすることによって、紙葉類読取装置１０に読取窓６が取り付いていない場合
には、当該センサ１２によって検知され、図示しない紙葉類読取装置に表示又は警告をす
ることができる。
【手続補正４】
【補正対象書類名】明細書
【補正対象項目名】００５９
【補正方法】変更
【補正の内容】
【００５９】
Ｐ  紙葉類
１、１０１  上面搬送ベルト
２ａ、２ｂ、１０２ａ、１０２ｂ  下面搬送ベルト
３ａ、３ｂ、１０３ａ、１０３ｂ  搬送ローラ
４ａ、４ｂ、１０４ａ、１０４ｂ  照明装置
５、１０５、１１５、１２５  読取面
６、１０６、１１６、１２６  読取窓
６ａ、１０６ａ、１１６ａ、１２６ａ  開口部
６ｂ、１０６ｂ、１１６ｂ、１２６ｂ  透明部材
６ｄ  磁性体
７、１０７  カメラ
７ａ  センサ（エリアセンサ）
１０７ａ  センサ（ラインセンサ）
１０  紙葉類読取装置  
１１  搬送路
１２  磁気センサ
【手続補正５】
【補正対象書類名】特許請求の範囲
【補正対象項目名】全文
【補正方法】変更
【補正の内容】
【特許請求の範囲】
【請求項１】
搬送路によって搬送される紙葉類が読取面を通過する際に当該読取面を照明し、その反
射光を読み取る紙葉類読取装置であって、
前記搬送路は、
前記読取装置の搬送上流及び下流位置で、かつ、最小長さの紙葉類を挟持できる位置に配
置した搬送ローラと、
この搬送ローラ間に配置された、紙葉類の一方の面をガイドする片側搬送ベルトと、
を備え、
前記紙葉類読取装置は、
前記読取面を照明する照明手段と、
この照明手段によって照明された前記読取面を通過する前記紙葉類からの反射光を読み取
る読取手段と、
前記照明手段からの照明光又は前記反射光を透過させるための開口部と、
この開口部に装着される読取窓と、
前記照明手段、前記読取手段及び前記読取窓を収納した本体と、
を備え、
前記読取窓は、
紙葉類の搬送方向と交差する方向に長軸を有する板状態で構成され、前記本体に装着され
る長軸側の側面に構成されたテーパー形状端面と、
前記紙葉類の搬送方向に対して、上流を深くし下流になるに従って浅くなるように傾斜配
置した透明部材と、
を備え、
前記本体は、
前記読取窓の長軸側の側面に構成されたテーパー形状端面が装着される溝を備え、
前記読取窓のテーパー形状端面が当該本体の溝に沿って摺動して組み込まれた際の接触面
積を大きくすることにより前記読取窓と当該本体の密着度及び強度が増し、よって、当該
読取窓交換時の再現性を確保すると共に当該読取窓の厚さを薄くし、
前記傾斜配置した透明部材の傾斜角は、
前記紙葉類の大きさ、剛性及び前記透明部材の搬送方向の長さによって３°〜７°以下に
設定され、前記紙葉類の先端または後端が前記紙葉類の自重による垂れ下りにより前記透
明部材の塵を取り除く紙葉類読取装置。
【請求項２】
前記本体はさらに、
前記読取窓の着脱を検知する磁気センサを備え、
前記読取窓は、
前記磁気センサで検知する磁性体を備え、
前記磁性体が前記磁気センサによって検知され、当該読取窓の抜き忘れを防止することが
できる請求項１記載の紙葉類読取装置。
【手続補正６】
【補正対象書類名】図面
【補正対象項目名】図４
【補正方法】変更
【補正の内容】
【図４】
2012095317.tif 000012